(57)【要約】【課題】  植物の苗を植えた育苗ポット５１を収容して運搬される育苗ポットトレイに関し、トレイ積み下ろし時の衝撃や、輸送時の振動が加わっても、育苗ポットが飛び出したり、苗や土がぶちまけられたりしないようにする。【解決手段】  育苗ポット収容用の複数個の凹陥部１０を縦横に配列して成り、トレイ上部の外周縁１８が上面視で略方形を成す育苗ポットトレイ１。各凹陥部１０は、上端部にて外周縁１８に連なる外側壁１２を有し、少なくとも一つの外側壁１２は、上端部寄り部位に当該外側壁１２を貫通する孔部１３を有するとともに、該孔部１３内に孔部上辺１３ａから下垂されて孔部下辺１３ｂに切離容易に連なる舌片部１４を有する。【選択図】図１
2015061514.tif 000002
【特許請求の範囲】
【請求項１】
育苗ポット収容用の複数個の凹陥部を縦横に配列して成り、トレイ上部の外周縁が上面視で略方形を成す育苗ポットトレイであって、
前記複数個の各凹陥部は上端部にて前記外周縁に連なる外側壁をそれぞれ有し、少なくとも一つの外側壁は、上端部寄り部位に当該外側壁を貫通する孔部を有するとともに、該孔部内に孔部上辺から下垂されて孔部下辺に切離容易に連なる舌片部を有する、
ことを特徴とする育苗ポットトレイ。
【請求項２】
請求項１に於いて、
前記育苗ポットトレイはパルプモールド製であり、
前記舌片部は、前記孔部下辺から上方へ突設された下辺突起の外面側に切離容易に連なっている、
ことを特徴とする育苗ポットトレイ。
【請求項３】
請求項２に於いて、
前記外周縁を構成する方形の４辺の一つの縁と、該一つの縁に沿って配列されている育苗ポット収容用の凹陥部との間には、当該配列されている凹陥部の側壁外面から離隔するようにして、下方へ向けて幅狭となる溝状凹陥部が設けられ、該溝状凹陥部両端の壁部の下端寄り部位にはそれぞれ貫通孔が設けられている、
ことを特徴とする育苗ポットトレイ。
【発明の詳細な説明】
【技術分野】
【０００１】
本発明は、育苗ポットトレイに関する。詳しくは、植物の苗が植えられた複数個の育苗ポットをそれぞれ所定の位置に収容して運搬される育苗ポットトレイに関し、特に、パルプモールド製のトレイに関する。
【背景技術】
【０００２】
植物の苗が植えられた育苗ポットをユーザへ届けるために、育苗ポットをトレイに収容した状態で箱詰めして、輸送することが行われている。しかし、輸送時の振動や、積み込み／荷下ろし時の衝撃等により、育苗ポットがトレイから跳び出したり、ポット内の苗や土がぶちまけられてしまったりという不具合が、しばしば報告されている。
【０００３】
上記の不具合に対して、特開２０１２−０１６２８７号公報（特許文献１）には、押さえバンドの両端をトレイの縁に設けたスリットにそれぞれ係合して両縁間に架け渡すことにより、トレイ内に所定サイズで区画された各収容部に収容されている育苗ポットの開口縁の一部（収容部区画用の内枠近傍の開口縁）を押さえバンドで押さえて、跳び出しを防止するようにした技術が開示されている。
また、特開２００４−１２１０８９号公報（特許文献２）には、長尺状の覆い部材と該覆い部材の下面側から下垂された板状突起とから成る押さえ部材をトレイの両縁間に架け渡すことにより、トレイに収容された各育苗ポットを板状突起で仕切るとともに、覆い部材で育苗ポットの開口縁の一部（覆い部材直下の開口縁）を押さえて、跳び出しを防止するようにした技術が開示されている。
また、実開昭６４−０３５８２５号（特許文献３）には、植木鉢等を収容する角筒状の容器内に装填されて植木鉢を固定する固定板の側部分に下方向きの突片を設け、該突片により植木鉢の上縁を押さえることが開示されている。
また、実開平２−０１６７２０号（特許文献４）には、植木鉢運搬用の箱内に装填されて植木鉢を固定する紙製ホールダの側面部に両開き窓のような小片を設け、該小片を内側へ開いて、植木鉢の上部を押さえることが開示されている。
【先行技術文献】
【特許文献】
【０００４】
【特許文献１】特開２０１２−０１６２８７号公報
【特許文献２】特開２００４−１２１０８９号公報
【特許文献３】実開昭６４−０３５８２５号
【特許文献４】実開平２−０１６７２０号
【発明の概要】
【発明が解決しようとする課題】
【０００５】
特許文献１の技術では、両縁間に架け渡した押さえバンドにより育苗ポットの開口縁を押さえるため、各育苗ポットの開口縁の高さが、すべて、押さえバンドが架け渡される高さ（両縁の高さ）と同等でなければならず、このため、収容対象の育苗ポットのサイズを同一に揃えなければならない。しかし、一般的な育苗ポットのサイズとしては２〜３種類のサイズがあるため、同一ユーザへ異なるサイズの育苗ポットを配送する場合等に、使い勝手が悪い。また、複数個の育苗ポットを一括して押さえるため、押さえが弱くなる育苗ポットもあり、その結果、跳び出し等の不具合を防止できない場合も生ずる。
特許文献２の技術も押さえ部材を用いるものであるため、上記特許文献１と同様の不具合がある。また、特許文献２の技術は、押さえ部材を構成する板状突起でトレイ内の育苗ポットを仕切るものであるため、押さえ部材を架け渡すべき位置が固定的ではない。つまり、特許文献１のように所定位置のスリットに係合するものではない。このため、当初に架け渡した位置から押さえ部材がズレ易くなり、その結果、育苗ポットの収容スペースが拡がって、輸送時等に育苗ポットが転倒する等の不具合が生じ易くなる。
特許文献３の固定板や、特許文献４のホールダは、植木鉢を収容する容器内に装填されるものであり、容器とは別体である。このため、取り扱いが煩雑であるばかりでなく、植木鉢を良好に固定することも困難である。また、容器内にガタツキ無く装填する必要があり、寸法精度にも厳しいものが求められる。
【０００６】
本発明は上述の事情に鑑みたものであり、トレイに収容された育苗ポットを一括して押さえるのではなく、各育苗ポットを個々に押さえることにより適切に押さえ得るようにして、輸送時の振動や積み込み／荷下ろし時の衝撃等で育苗ポットがトレイから跳び出したり、苗や土がぶちまけられたりしないようにすることを目的とする。
【課題を解決するための手段】
【０００７】
本発明の構成を、下記［１］〜［３］に記す。なお、この項（［課題を解決するための手段］）と次項（［発明の効果］）に於いて、符号は理解を容易にするために付したものであり、本発明を符号の構成に限定する趣旨ではない。
【０００８】
［１］構成１
育苗ポット収容用の複数個の凹陥部１０を縦横に配列して成り、トレイ上部の外周縁１８が上面視で略方形を成す育苗ポットトレイ１であって、
前記複数個の各凹陥部１０は上端部にて前記外周縁１８に連なる外側壁１２をそれぞれ有し、少なくとも一つの外側壁１２は、上端部寄り部位に当該外側壁１２を貫通する孔部１３を有するとともに、該孔部１３内に孔部上辺１３ａから下垂されて孔部下辺１３ｂに切離容易に連なる舌片部１４を有する、
ことを特徴とする育苗ポットトレイ１。
凹陥部１０がトレイ１のコーナーに位置する場合、上端部が外周縁１８に連なる外側壁１２は二つあるが、その中の少なくとも一つが孔部１３等を有する。もちろん、二つの外側壁１２のそれぞれが穴部１３等を有していてもよい。
［２］構成２
構成１に於いて、
前記育苗ポットトレイ１はパルプモールド製であり、
前記舌片部１４は、前記孔部下辺１３ｂから上方へ突設された下辺突起１３ｃの外面側に切離容易に連なっている、
ことを特徴とする育苗ポットトレイ１。
［３］構成３
構成２に於いて、
前記外周縁１８を構成する方形の４辺の一つの縁１８ａと、該一つの縁１８ａに沿って配列されている育苗ポット収容用の凹陥部１０ａ，１０ａとの間には、当該配列されている凹陥部１０ａ，１０ａの側壁１２ｂ外面から離隔するようにして、下方へ向けて幅狭となる溝状凹陥部１６が設けられ、該溝状凹陥部１６両端の壁部１６ａの下端寄り部位にはそれぞれ貫通孔１６ｂが設けられている、
ことを特徴とする育苗ポットトレイ１。
【発明の効果】
【０００９】
構成１は、育苗ポット収容用の複数個の凹陥部１０を縦横に配列して成り、トレイ上部の外周縁１８が上面視で略方形を成す育苗ポットトレイ１であって、前記複数個の各凹陥部１０は上端部にて前記外周縁１８に連なる外側壁１２をそれぞれ有し、少なくとも一つの外側壁１２は上端部寄り部位に当該外側壁１２を貫通する孔部１３を有するとともに該孔部１３内に孔部上辺１３ａから下垂されて孔部下辺１３ｂに切離容易に連なる舌片部１４を有することを特徴とする育苗ポットトレイ１であるため、舌片部１４を孔部下辺１３ｂから容易に切り離すことができ、切り離した舌片部１４を図５内に太二点鎖線で示すように内側へ曲げて、凹陥部１０に収容されている育苗ポット５２の開口縁上端５２ａを押さえることができる。即ち、育苗ポットを一括して押さえるのではなく、個々の育苗ポットを、舌片部１４で押さえることができる。このため、輸送時の振動や積み込み／荷下ろし時の衝撃等で育苗ポットがトレイから跳び出したり、苗や土がぶちまけられたりといった不具合を、確実に防止できる。
構成２は、構成１に於いて、前記育苗ポットトレイ１はパルプモールド製であり、前記舌片部１４は、前記孔部下辺１３ｂから上方へ突設された下辺突起１３ｃの外面側に切離容易に連なっている育苗ポットトレイ１であるため、構成１の作用効果を奏する他、舌片部１４を孔部下辺１３ｂからさらに容易に切り離すことができる効果がある。
構成３は、構成２に於いて、前記外周縁１８を構成する方形の４辺の一つの縁１８ａと該一つの縁１８ａに沿って配列されている育苗ポット収容用の凹陥部１０ａ，１０ａとの間には、当該配列されている凹陥部１０ａ，１０ａの側壁１２ｂ外面から離隔するようにして、下方へ向けて幅狭となる溝状凹陥部１６が設けられ、該溝状凹陥部１６両端の壁部１６ａの下端寄り部位にはそれぞれ貫通孔１６ｂが設けられている育苗ポットトレイ１であるため、溝状凹陥部１６を説明書等の収容部として利用することができる。また、溝状凹陥部１６の両端に貫通孔１６ｂが設けられているため、パルプモールド成形の乾燥工程前に水分を十分に除去でき、その結果、乾燥工程での水分の除去が速やかとなり、乾燥ムラ等による変形を防止できる。
【図面の簡単な説明】
【００１０】
【図１】実施の形態の育苗ポットトレイの斜視図。
【図２】実施の形態の育苗ポットトレイの平面図。
【図３】実施の形態の育苗ポットトレイを示し、（ａ）は図３（ｃ）内矢視Ａ−Ａ線断面図、（ｂ）は図３（ｃ）内矢視Ｂ−Ｂ線断面図、（ｃ）は（ａ）と（ｂ）の切断箇所を示す平面図。
【図４】実施の形態の育苗ポットトレイを示し、（ａ）は要部斜視図、（ｂ）は図４（ａ）内Ｂ矢視の断面を含めて示す斜視図。
【図５】実施の形態の育苗ポットトレイに育苗ポットを収容して舌片部で押さえた様子を図解する断面模式図。切断位置は図３（ｂ）と同様。
【発明を実施するための形態】
【００１１】
図面を参照して、本発明の実施の形態を説明する。
図示の育苗ポットトレイ１は、パルプモールド成形品である。即ち、古紙を水に溶かしたパルプ原料液中に、育苗ポットトレイ１の形状に対応する形状の金型を浸漬し、背後から吸引して金型表面を被覆する金網上に付着させた後、取り出し、乾燥して得る成形品である。図示のトレイ１の場合、トレイ内面側が金網に吸引・付着された側（被転写面；平滑面）であり、外面側がパルプ原料液／自由空間に曝された側（粗面）である。金型から取り出して乾燥する際には、抜き型で吸引して、抜き型から乾燥台上に転載するため、乾燥台上には、トレイ内面側が下向きとなるように載置される。
【００１２】
かかる育苗ポットトレイ１の全体形状は、概ね、上面開口の直方体形状を成し、下から上へ向けて、若干拡がる。トレイ上部の外周縁１８は、略、長方形状を成し、外周縁１８に囲まれるようにして、育苗ポット収容用の２×３個の凹陥部１０が、縦横に配列されている。各凹陥部１０は、それぞれ独立の容器として構成されている。即ち、縦方向／横方向にて隣接する凹陥部１０，１０の間は、内面側では隔壁上面部（隔壁高頂部１９ａ，隔壁低頂部１９ｂ，隔壁高頂部１９ｃ，隔壁頂低部１９ｄ）にて連設されているが、外面側では所定の間隔が設けられている。
【００１３】
各凹陥部１０は、略正方形状の底部と、該底部の４辺から立設された４個の側壁から構成される。側壁のうち、上端部にて外周縁１８に連なる側壁を、外側壁１２と言う。各凹陥部１０は、少なくとも一つの外側壁１２を有する。なお、上端部にて外周縁１８に連なっていない側壁、つまり、側壁外面が隣接する凹陥部１０（又は溝状凹陥部１６）の側壁外面と対面している側壁は、単に、側壁１２ｂとして表す。
【００１４】
各凹陥部１０の少なくとも一つの外側壁１２は、その上端部寄り部位に、当該外側壁１２を貫通する孔部１３を有し、該孔部１３内に、孔部上辺１３ａの略中央領域から下垂されて、孔部下辺１３ｂの中央部分に連なる舌片部１４を有する。舌片部１４の下端と孔部下辺１３ｂとは、微小な部分で連なっているため、切り離し容易である。
【００１５】
図示の例では、孔部下辺１３ｂの中央から幅細の下辺突起１３ｃが立設され、その上端部の外面側に、舌片部１４の下端が連設されている。このため、舌片部１４の下端を下辺突起１３ｃの上端から切り離すことが、非常に容易である。つまり、舌片部１４を外方向へ押すと、図５内に細二点鎖線で示すように、舌片部１４が下辺突起１３ｃから容易に切り離される。その後、舌片部１４を内側へ戻すように押すことにより、図５内に太二点鎖線で示すように、凹陥部１０内に収容されている育苗ポット５２を、開口縁上端５２ａの部位にて押さえることができる。なお、図５に於いて、６ａ，６ｂは植物の苗であり、７は土である。
【００１６】
なお、図示の例では、育苗ポット５１は相対的に大サイズであり、凹陥部１０内にピッタリと収容されているため、輸送時の振動や、積み込み／荷下ろし時の衝撃等で跳び出す等の不具合が生ずる恐れは極めて小さい。このため、舌片部１４で押さえていないのであるが、必要に応じて舌片部１４で押さえるようにしてもよい。このように、本発明の育苗ポットトレイ１は、育苗ポットを一括して押さえるのではなく、個々の育苗ポットについて、押さえる／押さえないを選択することができるため、輸送時の振動や、積み込み／荷下ろし時の衝撃等で育苗ポットがトレイから跳び出したり、苗や土がぶちまけられる等の不具合を、確実に防止できる。
【００１７】
また、図示の例では、外周縁１８を構成する方形の４辺の一つの縁１８ａと、該一つの縁１８ａに沿って配列されている育苗ポット収容用の凹陥部１０ａ，１０ａとの間に、当該配列されている凹陥部１０ａ，１０ａの側壁１２ｂから離隔して、下方へ向けて幅狭となる溝状凹陥部１６が設けられており、該溝状凹陥部１６両端の壁部１６ａの下端寄り部位にはそれぞれ貫通孔１６ｂが設けられている。
【００１８】
このため、溝状凹陥部１６を説明書等の収容部として利用することができる。また、溝状凹陥部１６の両端には貫通孔１６ｂが設けられているため、パルプモールド成形の乾燥工程での水分の除去が速やかとなり、乾燥ムラ等による変形を防止することができる。
【００１９】
また、図示の例では、凹陥部１０の底部が、トレイ１の縦横方向に十字形を成す底高突部１１ａ、底部四隅に位置し高さが最も低い隅底部１１ｂ、及び、底部中央部に位置し高さが中程度の底中央突部１１ｃのように構成されているため、輸送途中で育苗ポットから滲み出す水分を良好に受けることができる。
【符号の説明】
【００２０】
１  育苗ポットトレイ
１０  凹陥部
１０ａ  凹陥部（外周縁の一縁１８ａに沿う凹陥部）
１１ａ  底高突部
１１ｂ  隅底部
１１ｃ  底中央突部
１２  外側壁
１２ｂ  側壁（外側壁でない側壁）
１３  孔部
１３ａ  孔部上辺
１３ｂ  孔部下辺
１３ｃ  下辺突起
１４  舌片部
１６  溝状凹陥部
１６ａ  溝状凹陥部１６の両端の壁部
１６ｂ  貫通孔
１８  外周縁
１８ａ  外周縁の一縁
１９ａ  隔壁高頂部（短辺平行方向）
１９ｂ  隔壁低頂部（短辺平行方向）
１９ｃ  隔壁高頂部（長辺平行方向）
１９ｄ  隔壁低頂部（長辺平行方向）
５１  育苗ポット
５２  育苗ポット（小サイズ）
５２ａ  育苗ポット（小サイズ）の側壁上部
６ａ  植物
６ｂ  植物
７  土
【図１】
2015061514.tif 000003
【図２】
2015061514.tif 000004
【図３】
2015061514.tif 000005
【図４】
2015061514.tif 000006
【図５】
2015061514.tif 000007